(57)【要約】【課題】軸方向での回転体の取付精度が向上するとともに取付時間が短縮する軸と回転体との締結装置を提供すること。【解決手段】軸方向一方側軸締結部材１３０と、軸方向他方側軸締結部材１４０とを備え、回転体１２０での軸方向一方側軸締結部材と接触する回転体側接触箇所（１２３）および軸方向一方側軸締結部材１３０での回転体と接触する軸締結部材側接触箇所（１３３）の少なくとも一方が、テーパ状に形成され、回転体１２０での軸方向他方側軸締結部材と接触する回転体側接触箇所（１２４）および軸方向他方側軸締結部材１４０での回転体と接触する軸締結部材側接触箇所（１４３）の少なくとも一方が、テーパ状に形成され、ボルト１５０が、軸方向一方側軸締結部材から軸方向他方側軸締結部材まで延設され、軸方向一方側軸締結部材と軸方向他方側軸締結部材とを回転体に対して軸方向両側から締め付けている軸と回転体との締結装置１００。【選択図】図２
2014224576.tif 000002
【特許請求の範囲】
【請求項１】
軸方向に対して傾斜したテーパ状の接触箇所を有してボルトを締め付けることにより回転体を軸に締結する軸と回転体との締結装置において、
前記回転体に対して軸方向一方側から接触するとともに回転体の一部より軸の径方向内側に入り込む軸方向一方側軸締結部材と、前記回転体に対して軸方向他方側から接触するとともに回転体の一部より軸の径方向内側に入り込む軸方向他方側軸締結部材とを備え、
前記回転体での軸方向一方側軸締結部材と接触する回転体側接触箇所および軸方向一方側軸締結部材での回転体と接触する軸締結部材側接触箇所の少なくとも一方が、前記軸方向に対して傾斜したテーパ状に形成され、
前記回転体での軸方向他方側軸締結部材と接触する回転体側接触箇所および軸方向他方側軸締結部材での回転体と接触する軸締結部材側接触箇所の少なくとも一方、
または、
前記軸方向一方側軸締結部材での軸方向他方側軸締結部材と接触する軸締結部材側接触箇所および軸方向他方側軸締結部材での軸方向一方側軸締結部材と接触する軸締結部材側接触箇所の少なくとも一方が、前記軸方向に対して傾斜したテーパ状に形成され、
前記ボルトが、前記軸方向一方側軸締結部材から軸方向他方側軸締結部材まで延設され、前記軸方向一方側軸締結部材と軸方向他方側軸締結部材とを回転体に対して軸方向両側から締め付けていることを特徴とする軸と回転体との締結装置。
【請求項２】
前記軸方向一方側軸締結部材および軸方向他方側軸締結部材が、前記軸の周方向に複数並設され軸方向に延びたスリットをそれぞれ有していることを特徴とする請求項１に記載の軸と回転体との締結装置。
【請求項３】
前記回転体での軸方向他方側軸締結部材と接触する回転体側接触箇所および軸方向他方側軸締結部材での回転体と接触する軸締結部材側接触箇所の少なくとも一方が、前記軸方向に対して傾斜したテーパ状に形成され、前記軸方向一方側軸締結部材の軸締結部材側接触箇所の姿勢と、前記軸方向他方側軸締結部材の軸締結部材側接触箇所の姿勢とが、前記軸方向での軸方向一方側軸締結部材と軸方向他方側軸締結部材との間での軸方向と直交する仮想線を基準とした線対称の関係を有していることを特徴とする請求項１または請求項２に記載の軸と回転体との締結装置。
【請求項４】
前記回転体が、前記軸方向での軸方向一方側軸締結部材と軸方向他方側軸締結部材との間で、前記回転体を軸に取り付ける際に軸の外周面と接触自在な位置決め面を有していることを特徴とする請求項１乃至請求項３のいずれか１つに記載の軸と回転体との締結装置。
【請求項５】
前記軸方向一方側軸締結部材での軸方向他方側軸締結部材と接触する軸締結部材側接触箇所および軸方向他方側軸締結部材での軸方向一方側軸締結部材と接触する軸締結部材側接触箇所の少なくとも一方が、前記軸方向に対して傾斜したテーパ状に形成され、前記軸方向一方側軸締結部材での回転体と接触する軸締結部材側接触箇所および軸方向一方側軸締結部材での軸方向他方側軸締結部材と接触する軸締結部材側接触箇所が、前記軸の径方向で回転体と軸方向他方側軸締結部材との間に入り込んでいることを特徴とする請求項１または請求項２に記載の軸と回転体との締結装置。
【発明の詳細な説明】
【技術分野】
【０００１】
本発明は、回転自在な軸に対してギア、プーリ、スプロケットなどの回転体を締結する軸と回転体との締結装置に関する。
【背景技術】
【０００２】
従来、軸方向に対して傾斜したテーパ状の接触箇所を有してボルトを締め付けることにより回転体を軸に締結する軸と回転体との締結装置が知られている（例えば、特許文献１参照）。
このような従来の軸と回転体との締結装置として、例えば、図６に示すような軸７１０と回転体７２０との締結装置７００がある。
図６に示すのは、従来技術の軸７１０と回転体７２０との締結装置７００を示す斜視断面図である。
【０００３】
従来技術の軸７１０と回転体７２０との締結装置７００は、軸７１０と、プーリである回転体７２０と、軸締結部材７３０と、ボルト７４０とを備えていた。
このうち、回転体７２０は、軸方向Ａに対して傾斜した回転体側テーパ部７２１と、ねじ穴７２２とを有していた。
また、軸締結部材７３０は、ボルト挿通穴７３２を有したフランジ部７３１と、回転体側テーパ部７２１と接触する軸締結部材側テーパ部７３３とを備えていた。
そして、径方向Ｄで、軸締結部材側テーパ部７３３が、軸７１０と回転体側テーパ部７２１との間に入り込んだ状態で、ボルト７４０が、軸締結部材７３０のボルト挿通穴７３２に挿通され、回転体７２０のねじ穴７２２でねじ留めされていた。
【先行技術文献】
【特許文献】
【０００４】
【特許文献１】特開平５−３０６７２０号公報
【発明の概要】
【発明が解決しようとする課題】
【０００５】
しかしながら、上述した従来の軸７１０と回転体７２０との締結装置７００は、ボルト７４０を締め付けた際に回転体７２０が軸締結部材７３０側に引っ張られる構造であったため、回転体７２０の位置が締結前後でずれて取付誤差が大きくなってしまうという問題があった。
【０００６】
具体的には、図７（Ａ）に示すように、二軸のうちの一方である軸７１０Ｂに回転体７２０Ｂを締結した後で、他方である軸７１０Ａに回転体７２０Ａを締結する際に、他方の回転体７２０Ａの軸方向Ａの位置を既に締結した一方の回転体７２０Ｂの軸方向Ａの位置に合わせる。
次に、この他方の回転体７２０Ａを軸７１０Ａに締結するためにボルト７４０を締め付けると、図７（Ｂ）に示すように、他方の回転体７２０Ａが引っ張られて回転体７２０Ａの位置がずれる。
軸方向Ａで、一方の回転体７２０Ｂの位置に対して、他方の回転体７２０Ａの位置がずれてしまうため、プーリベルトが外れやすくなって動力を伝達できないという問題も生じる。
そして、従来では、予め締結前後のずれる量を見込んで位置決めする必要があったため、取付時間が無駄に長かった。
【０００７】
そこで、本発明は、前述したような従来技術の問題を解決するものであって、すなわち、本発明の目的は、軸方向での回転体の取付精度が向上するとともに取付時間が短縮する軸と回転体との締結装置を提供することである。
【課題を解決するための手段】
【０００８】
本請求項１に係る発明は、軸方向に対して傾斜したテーパ状の接触箇所を有してボルトを締め付けることにより回転体を軸に締結する軸と回転体との締結装置において、前記回転体に対して軸方向一方側から接触するとともに回転体の一部より軸の径方向内側に入り込む軸方向一方側軸締結部材と、前記回転体に対して軸方向他方側から接触するとともに回転体の一部より軸の径方向内側に入り込む軸方向他方側軸締結部材とを備え、前記回転体での軸方向一方側軸締結部材と接触する回転体側接触箇所および軸方向一方側軸締結部材での回転体と接触する軸締結部材側接触箇所の少なくとも一方が、前記軸方向に対して傾斜したテーパ状に形成され、前記回転体での軸方向他方側軸締結部材と接触する回転体側接触箇所および軸方向他方側軸締結部材での回転体と接触する軸締結部材側接触箇所の少なくとも一方、または、前記軸方向一方側軸締結部材での軸方向他方側軸締結部材と接触する軸締結部材側接触箇所および軸方向他方側軸締結部材での軸方向一方側軸締結部材と接触する軸締結部材側接触箇所の少なくとも一方が、前記軸方向に対して傾斜したテーパ状に形成され、前記ボルトが、前記軸方向一方側軸締結部材から軸方向他方側軸締結部材まで延設され、前記軸方向一方側軸締結部材と軸方向他方側軸締結部材とを回転体に対して軸方向両側から締め付けていることにより、前述した課題を解決するものである。
【０００９】
本請求項２に係る発明は、請求項１に記載された軸と回転体との締結装置の構成に加えて、前記軸方向一方側軸締結部材および軸方向他方側軸締結部材が、前記軸の周方向に複数並設され軸方向に延びたスリットを有していることにより、前述した課題をさらに解決するものである。
【００１０】
本請求項３に係る発明は、請求項１または請求項２に記載された軸と回転体との締結装置の構成に加えて、前記回転体での軸方向他方側軸締結部材と接触する回転体側接触箇所および軸方向他方側軸締結部材での回転体と接触する軸締結部材側接触箇所の少なくとも一方が、前記軸方向に対して傾斜したテーパ状に形成され、前記軸方向一方側軸締結部材の軸締結部材側接触箇所の姿勢と、前記軸方向他方側軸締結部材の軸締結部材側接触箇所の姿勢とが、前記軸方向での軸方向一方側軸締結部材と軸方向他方側軸締結部材との間での軸方向と直交する仮想線を基準とした線対称の関係を有していることにより、前述した課題をさらに解決するものである。
【００１１】
本請求項４に係る発明は、請求項１乃至請求項３のいずれか１つに記載された軸と回転体との締結装置の構成に加えて、前記回転体が、前記軸方向での軸方向一方側軸締結部材と軸方向他方側軸締結部材との間で、前記回転体を軸に取り付ける際に軸の外周面と接触自在な位置決め面を有していることにより、前述した課題をさらに解決するものである。
【００１２】
本請求項５に係る発明は、請求項１または請求項２に記載された軸と回転体との締結装置の構成に加えて、前記軸方向一方側軸締結部材での軸方向他方側軸締結部材と接触する軸締結部材側接触箇所および軸方向他方側軸締結部材での軸方向一方側軸締結部材と接触する軸締結部材側接触箇所の少なくとも一方が、前記軸方向に対して傾斜したテーパ状に形成され、前記軸方向一方側軸締結部材での回転体と接触する軸締結部材側接触箇所および軸方向一方側軸締結部材での軸方向他方側軸締結部材と接触する軸締結部材側接触箇所が、前記軸の径方向で回転体と軸方向他方側軸締結部材との間に入り込んでいることにより、前述した課題をさらに解決するものである。
【発明の効果】
【００１３】
本発明の軸と回転体との締結装置は、軸方向に対して傾斜したテーパ状の接触箇所を有していることにより、ボルトを締め付けて回転体を軸に締結することができるばかりでなく、以下のような特有の効果を奏することができる。
【００１４】
本請求項１に係る発明の軸と回転体との締結装置によれば、回転体に対して軸方向一方側から接触するとともに回転体の一部より軸の径方向内側に入り込む軸方向一方側軸締結部材と、回転体に対して軸方向他方側から接触するとともに回転体の一部より軸の径方向内側に入り込む軸方向他方側軸締結部材とを備え、回転体での軸方向一方側軸締結部材と接触する回転体側接触箇所および軸方向一方側軸締結部材での回転体と接触する軸締結部材側接触箇所の少なくとも一方が、軸方向に対して傾斜したテーパ状に形成され、回転体での軸方向他方側軸締結部材と接触する回転体側接触箇所および軸方向他方側軸締結部材での回転体と接触する軸締結部材側接触箇所の少なくとも一方、または、軸方向一方側軸締結部材での軸方向他方側軸締結部材と接触する軸締結部材側接触箇所および軸方向他方側軸締結部材での軸方向一方側軸締結部材と接触する軸締結部材側接触箇所の少なくとも一方が、軸方向に対して傾斜したテーパ状に形成され、ボルトが、軸方向一方側軸締結部材から軸方向他方側軸締結部材まで延設され、軸方向一方側軸締結部材と軸方向他方側軸締結部材とを回転体に対して軸方向両側から締め付けていることにより、軸方向両外側から内側へ向かって互いに回転体を挟み込む力が作用し、この互いの挟み込む力がテーパ状の接触箇所で同じように径方向に変換されて軸に対して締め付ける力が生じるとともに、軸方向に作用する力が相殺または減殺されて軸に対する回転体の軸方向（スラスト方向）のずれが略無になるため、軸方向（スラスト方向）での回転体の取付精度を向上させることができる。
【００１５】
さらに、軸方向（スラスト方向）のずれが略無になってずれ分の調整が不要となるため、取付時間を短縮できる。
また、軸の端部から軸に対して軸方向一方側軸締結部材、回転体および軸方向他方側軸締結部材の順で取付自在であるため、容易に取り付けることができる。
さらに、軸方向両側から挟み込む力がテーパによって軸を締め付ける力にそれぞれ変換されるため、回転体の軸方向一端側と他端側とのバランスをよくして回転体の姿勢を高精度で安定させることができる。
【００１６】
本請求項２に係る発明の軸と回転体との締結装置によれば、請求項１に係る発明が奏する効果に加えて、軸方向一方側軸締結部材および軸方向他方側軸締結部材が、軸の周方向に複数並設され軸方向に延びたスリットをそれぞれ有していることにより、テーパ状の接触箇所によって変換された締め付ける力を受けた際に軸方向一方側軸締結部材および軸方向他方側軸締結部材がスリット幅の許容範囲内で内径を変化させるように撓むため、締め付ける力を軸に対して有効に作用させることができる。
【００１７】
本請求項３に係る発明の軸と回転体との締結装置によれば、請求項１または請求項２に係る発明が奏する効果に加えて、回転体での軸方向他方側軸締結部材と接触する回転体側接触箇所および軸方向他方側軸締結部材での回転体と接触する軸締結部材側接触箇所の少なくとも一方が、軸方向に対して傾斜したテーパ状に形成され、軸方向一方側軸締結部材の軸締結部材側接触箇所の姿勢と、軸方向他方側軸締結部材の軸締結部材側接触箇所の姿勢とが、軸方向での軸方向一方側軸締結部材と軸方向他方側軸締結部材との間での軸方向と直交する仮想線を基準とした線対称の関係を有していることにより、軸方向一方側軸締結部材に作用する軸を締め付ける力と、軸方向他方側軸締結部材に作用する軸を締め付ける力とが同じ大きさになるため、軸方向（スラスト方向）のずれをより効果的に小さくして限りなく無に近づけることができる。
【００１８】
本請求項４に係る発明の軸と回転体との締結装置によれば、請求項１乃至請求項３のいずれか１つに係る発明が奏する効果に加えて、回転体が、軸方向での軸方向一方側軸締結部材と軸方向他方側軸締結部材との間で、回転体を軸に取り付ける際に軸の外周面と接触自在な位置決め面を有していることにより、回転体を取り付ける際に軸の回転中心に対する回転体の相対的な位置が決まるため、軸の回転中心に回転体の回転中心を合わせて回転体のぶれをなくすことができる。
さらに、軸の回転中心に回転体の回転中心が合うため、偏芯による摩耗量を低減し、破損を防止できる。
また、回転体のぶれがなくなって回転駆動に必要なエネルギーが小さくなるため、エネルギー効率を向上できる。
【００１９】
本請求項５に係る発明の軸と回転体との締結装置によれば、請求項１または請求項２に係る発明が奏する効果に加えて、軸方向一方側軸締結部材での軸方向他方側軸締結部材と接触する軸締結部材側接触箇所および軸方向他方側軸締結部材での軸方向一方側軸締結部材と接触する軸締結部材側接触箇所の少なくとも一方が、軸方向に対して傾斜したテーパ状に形成され、軸方向一方側軸締結部材での回転体と接触する軸締結部材側接触箇所および軸方向一方側軸締結部材での軸方向他方側軸締結部材と接触する軸締結部材側接触箇所が、軸の径方向で回転体と軸方向他方側軸締結部材との間に入り込んでいることにより、入り込んでいない構成と比べて、テーパ状の部分の傾斜を緩やかにしてテーパ状の部分の軸方向成分の長さを長くとれるため、くさび効果を効率よく得ることができる。
【００２０】
さらに、ボルトが締め付けられて軸方向一方側軸締結部材の軸締結部材側接触箇所が軸の径方向で回転体と軸方向他方側軸締結部材との間に入り込む際、軸方向一方側軸締結部材と軸との間に隙間がある状態で軸方向一方側軸締結部材が軸方向（スラスト方向）へ変位する他方で回転体が軸方向他方側軸締結部材に対して軸方向（スラスト方向）へ殆ど変位せず、軸方向他方側軸締結部材が軸に対して軸方向（スラスト方向）へ変位しないため、回転体の軸方向（スラスト方向）のずれをより確実になくすことができる。
【図面の簡単な説明】
【００２１】
【図１】本発明の第１実施例の軸と回転体との締結装置を示す斜視断面図。
【図２】図１に示す符号２から視た軸と回転体との締結装置の側断面図。
【図３】本発明の第２実施例の軸と回転体との締結装置を示す斜視断面図。
【図４】図３に示す符号４から視た軸と回転体との締結装置の側断面図。
【図５】本発明の第３実施例の軸と回転体との締結装置を示す側断面図。
【図６】従来技術の軸と回転体との締結装置を示す斜視断面図。
【図７】（Ａ）は従来技術の締結装置で二軸のうちの一方がボルトを締め付ける前の状態を示す図、（Ｂ）は（Ａ）の状態からボルトを締め付けた状態を示す図。
【発明を実施するための形態】
【００２２】
本発明は、軸方向に対して傾斜したテーパ状の接触箇所を有してボルトを締め付けることにより回転体を軸に締結する軸と回転体との締結装置において、回転体に対して軸方向一方側から接触するとともに回転体の一部より軸の径方向内側に入り込む軸方向一方側軸締結部材と、回転体に対して軸方向他方側から接触するとともに回転体の一部より軸の径方向内側に入り込む軸方向他方側軸締結部材とを備え、回転体での軸方向一方側軸締結部材と接触する回転体側接触箇所および軸方向一方側軸締結部材での回転体と接触する軸締結部材側接触箇所の少なくとも一方が、軸方向に対して傾斜したテーパ状に形成され、回転体での軸方向他方側軸締結部材と接触する回転体側接触箇所および軸方向他方側軸締結部材での回転体と接触する軸締結部材側接触箇所の少なくとも一方、または、軸方向一方側軸締結部材での軸方向他方側軸締結部材と接触する軸締結部材側接触箇所および軸方向他方側軸締結部材での軸方向一方側軸締結部材と接触する軸締結部材側接触箇所の少なくとも一方が、軸方向に対して傾斜したテーパ状に形成され、ボルトが、軸方向一方側軸締結部材から軸方向他方側軸締結部材まで延設され、軸方向一方側軸締結部材と軸方向他方側軸締結部材とを回転体に対して軸方向両側から締め付けていることにより、軸方向（スラスト方向）での回転体の取付精度が向上するとともに、取付時間が短縮するものであれば、その具体的な実施態様は、如何なるものであっても構わない。
【００２３】
回転体は、軸と一体に回転するものであれば如何なるものであっても構わない。
例えば、回転体として、ギア、プーリ、スプロケットなどを挙げることができる。
また、軸、回転体、軸方向一方側軸締結部材および軸方向他方側軸締結部材の材質は、金属でもよいし、工業用樹脂でもよい。
【実施例１】
【００２４】
以下に、本発明の第１実施例である軸１１０と回転体１２０との締結装置１００について、図１および図２に基づいて説明する。
軸１１０と回転体１２０との締結装置１００は、軸方向Ａに対して傾斜したテーパ状の接触箇所を有してボルト１５０を締め付けることにより回転体１２０を軸１１０に締結するように構成されている。
具体的には、回転体１２０に対して軸方向一方側から接触するとともに回転体１２０の一部より軸１１０の径方向内側に入り込む軸方向一方側軸締結部材１３０と、回転体１２０に対して軸方向他方側から接触するとともに回転体１２０の一部より軸１１０の径方向内側に入り込む軸方向他方側軸締結部材１４０とを備えている。
【００２５】
さらに、回転体１２０での軸方向一方側軸締結部材１３０と接触する回転体側接触箇所および軸方向一方側軸締結部材１３０での回転体１２０と接触する軸締結部材側接触箇所の少なくとも一方が、軸方向Ａに対して傾斜したテーパ状に形成されている。
本実施例では、両方がテーパ状に形成され、回転体１２０での軸方向一方側軸締結部材１３０と接触する回転体側接触箇所が、回転体一方側テーパ部１２３であり、軸方向一方側軸締結部材１３０での回転体１２０と接触する軸締結部材側接触箇所が、一方軸締結部材側テーパ部１３３である。
なお、本実施例で両方をテーパ状にしたのは、精度を上げるためであるが、技術的思想としては、少なくとも一方でよい。
少なくとも一方がテーパ状であれば、ボルト１５０の締め付けによる軸方向Ａの力が、径方向Ｄの力に変換され、さらに回転体１２０と軸１１０との間に摩擦力が発生し、回転体１２０を軸１１０に締結できるからである。
【００２６】
同様に、回転体１２０での軸方向他方側軸締結部材１４０と接触する回転体側接触箇所および軸方向他方側軸締結部材１４０での回転体１２０と接触する軸締結部材側接触箇所の少なくとも一方が、軸方向Ａに対して傾斜したテーパ状に形成されている。
本実施例では、両方がテーパ状に形成され、回転体１２０での軸方向他方側軸締結部材１４０と接触する回転体側接触箇所が、回転体他方側テーパ部１２４であり、軸方向他方側軸締結部材１４０での回転体１２０と接触する軸締結部材側接触箇所が、他方軸締結部材側テーパ部１４３である。
【００２７】
さらに、ボルト１５０が、軸方向一方側軸締結部材１３０から軸方向他方側軸締結部材１４０まで延設され、軸方向一方側軸締結部材１３０と軸方向他方側軸締結部材１４０とを回転体１２０に対して軸方向両側から締め付けている。
具体的には、軸方向一方側軸締結部材１３０の軸方向一方側フランジ部１３１に、ボルト挿通穴１３２が設けられている。
他方、軸方向他方側軸締結部材１４０の軸方向他方側フランジ部１４１に、ねじ穴１４２が設けられている。
そして、ボルト１５０の先端側が、軸方向一方側から軸方向一方側軸締結部材１３０のボルト挿通穴１３２に挿通され、回転体１２０のボルト挿通穴１２１を介して軸方向他方側の軸方向他方側軸締結部材１４０のねじ穴１４２にねじ留めされている。
【００２８】
これにより、軸方向両外側から内側へ向かって互いに回転体１２０を挟み込む力が作用し、この互いの挟み込む力がテーパ状の接触箇所で同じように径方向Ｄに変換されて軸１１０に対して締め付ける力が生じるとともに、軸方向Ａに作用する力が相殺または減殺されて軸１１０に対する回転体１２０の軸方向（スラスト方向）Ａのずれが略無になる。
さらに、軸方向（スラスト方向）Ａのずれが略無になりずれ分の調整が不要となる。
また、軸１１０の端部から軸１１０に対して軸方向一方側軸締結部材１３０、回転体１２０および軸方向他方側軸締結部材１４０の順で取付自在である。
さらに、軸方向両側から挟み込む力がテーパによって軸１１０を締め付ける力にそれぞれ変換されて、回転体１２０の軸方向一端側と他端側とのバランスがよい。
【００２９】
また、軸方向一方側軸締結部材１３０が、軸１１０の周方向に複数並設され軸方向Ａに延びたスリット１３４を有している。
同様に、軸方向他方側軸締結部材１４０が、軸１１０の周方向に複数並設され軸方向Ａに延びたスリット１４４を有している。
これにより、テーパ状の接触箇所によって変換された締め付ける力を受けた際に軸方向一方側軸締結部材１３０の一方軸締結部材側テーパ部１３３および軸方向他方側軸締結部材１４０の他方軸締結部材側テーパ部１４３がスリット幅の許容範囲内で内径を変化させるように撓んで、締め付ける力が軸１１０に対して有効に作用する。
【００３０】
さらに、軸方向一方側軸締結部材１３０の一方軸締結部材側テーパ部１３３の姿勢と、軸方向他方側軸締結部材１４０の他方軸締結部材側テーパ部１４３の姿勢とが、軸方向Ａでの軸方向一方側軸締結部材１３０と軸方向他方側軸締結部材１４０との間での軸方向Ａと直交する仮想線Ｌを基準とした線対称の関係を有している。
これにより、軸方向一方側軸締結部材１３０に作用する軸１１０を締め付ける力と、軸方向他方側軸締結部材１４０に作用する軸１１０を締め付ける力とが同じ大きさになる。
【００３１】
また、回転体１２０が、軸方向Ａでの軸方向一方側軸締結部材１３０と軸方向他方側軸締結部材１４０との間で、回転体１２０を軸１１０に取り付ける際に軸１１０の外周面と接触自在な位置決め面１２２を有している。
ここで、位置決め面１２２は、回転体１２０の内周面であり、組立の際に回転体１２０の内周に軸１１０を通すために、回転体１２０の内周の径が軸１１０の外周の径より極僅かに大となる関係を有している。
そして、回転体１２０の内周に軸を通したとき、回転体１２０の位置決め面１２２は軸１１０の外周面と接触するが、ボルト１５０を締めていくと、軸方向一方側軸締結部材１３０の一方軸締結部材側テーパ部１３３と、軸方向他方側軸締結部材１４０の他方軸締結部材側テーパ部１４３とが、徐々に軸１１０と回転体１２０の一部との間に入り込んでいき、回転体１２０の位置決め面１２２は軸１１０の外周面から僅かに離間するように構成されている。
これにより、回転体１２０を取り付ける際に軸１１０の回転中心に対する回転体１２０の相対的な位置が決まる。
また、回転体１２０のぶれがなくなって回転駆動に必要なエネルギーが小さくなる。
なお、本実施例では、回転体１２０の外周にスプロケット歯１２５を設けたが、回転体１２０はスプロケットに限らない。
回転体１２０は、ギアやプーリでもよい。
【００３２】
このようにして得られた本発明の第１実施例である軸１１０と回転体１２０との締結装置１００は、回転体１２０に対して軸方向一方側から接触するとともに回転体１２０の一部より軸１１０の径方向内側に入り込む軸方向一方側軸締結部材１３０と、回転体１２０に対して軸方向他方側から接触するとともに回転体１２０の一部より軸１１０の径方向内側に入り込む軸方向他方側軸締結部材１４０とを備え、回転体１２０での軸方向一方側軸締結部材１３０と接触する回転体側接触箇所である回転体一方側テーパ部１２３および軸方向一方側軸締結部材１３０での回転体１２０と接触する軸締結部材側接触箇所である一方軸締結部材側テーパ部１３３の少なくとも一方が、軸方向Ａに対して傾斜したテーパ状に形成され、回転体１２０での軸方向他方側軸締結部材１４０と接触する回転体側接触箇所である回転体他方側テーパ部１２４および軸方向他方側軸締結部材１４０での回転体１２０と接触する軸締結部材側接触箇所である他方軸締結部材側テーパ部１４３の少なくとも一方が、軸方向Ａに対して傾斜したテーパ状に形成され、ボルト１５０が、軸方向一方側軸締結部材１３０から軸方向他方側軸締結部材１４０まで延設され、軸方向一方側軸締結部材１３０と軸方向他方側軸締結部材１４０とを回転体１２０に対して軸方向両側から締め付けていることにより、軸方向（スラスト方向）Ａの取付精度を向上させることができるとともに、取付時間を短縮でき、軸１１０に容易に取り付けることができ、回転体１２０の軸方向一端側と他端側とのバランスをよくして回転体１２０の姿勢を高精度で安定させることができる。
【００３３】
さらに、軸方向一方側軸締結部材１３０および軸方向他方側軸締結部材１４０が、軸１１０の周方向に複数並設され軸方向Ａに延びたスリット１３４、１４４をそれぞれ有していることにより、締め付ける力を軸１１０に対して有効に作用させることができる。
【００３４】
また、軸方向一方側軸締結部材１３０の一方軸締結部材側テーパ部１３３の姿勢と、軸方向他方側軸締結部材１４０の他方軸締結部材側テーパ部１４３の姿勢とが、軸方向Ａでの軸方向一方側軸締結部材１３０と軸方向他方側軸締結部材１４０との間での軸方向Ａと直交する仮想線Ｌを基準とした線対称の関係を有していることにより、軸方向（スラスト方向）Ａのずれをより効果的に小さくして限りなく無に近づけることができる。
【００３５】
さらに、回転体１２０が、軸方向Ａでの軸方向一方側軸締結部材１３０と軸方向他方側軸締結部材１４０との間で、回転体１２０を軸１１０に取り付ける際に軸１１０の外周面と接触自在な位置決め面１２２を有していることにより、軸１１０の回転中心に回転体１２０の回転中心を合わせて回転体１２０のぶれをなくすことができるとともに、偏芯による摩耗量を低減し、破損を防止でき、エネルギー効率を向上できるなど、その効果は甚大である。
【実施例２】
【００３６】
続いて、本発明の第２実施例である軸２１０と回転体２２０との締結装置２００について、図３および図４に基づいて説明する。
第２実施例の軸２１０と回転体２２０との締結装置２００は、第１実施例の軸１１０と回転体１２０との締結装置１００の軸方向一方側軸締結部材１３０が軸方向他方側軸締結部材１４０と回転体１２０との間に入り込む構成としたものであり、多くの要素について第１実施例の軸１１０と回転体１２０との締結装置１００と共通するので、共通する事項については詳しい説明を省略し、下２桁が共通する２００番台の符号を付すのみとする。
【００３７】
第２実施例では、軸２１０と回転体２２０との締結装置２００は、回転体２２０に対して軸方向一方側から接触するとともに回転体２２０の一部より軸２１０の径方向内側に入り込む軸方向一方側軸締結部材２３０と、回転体２２０に対して軸方向他方側から接触するとともに回転体２２０の一部より軸２１０の径方向内側に入り込む軸方向他方側軸締結部材２４０とを備えている。
軸方向一方側軸締結部材２３０は、後述する一方軸締結部材外周側テーパ部２３５で回転体２２０と接触するように構成されている。
また、軸方向他方側軸締結部材２４０は、後述する他方軸締結部材外周側テーパ部２４５で軸方向一方側軸締結部材２３０および回転体２２０と接触するように構成されている。
【００３８】
さらに、回転体２２０での軸方向一方側軸締結部材２３０と接触する回転体側接触箇所および軸方向一方側軸締結部材２３０での回転体２２０と接触する軸締結部材側接触箇所の少なくとも一方が、軸方向Ａに対して傾斜したテーパ状に形成されている。
本実施例では、両方がテーパ状に形成され、回転体２２０での軸方向一方側軸締結部材２３０と接触する回転体側接触箇所が、回転体側テーパ部２２６であり、軸方向一方側軸締結部材２３０での回転体２２０と接触する軸締結部材側接触箇所が、一方軸締結部材外周側テーパ部２３５である。
【００３９】
また、軸方向一方側軸締結部材２３０での軸方向他方側軸締結部材２４０と接触する軸締結部材側接触箇所および軸方向他方側軸締結部材２４０での軸方向一方側軸締結部材２３０と接触する軸締結部材側接触箇所の少なくとも一方が、軸方向Ａに対して傾斜したテーパ状に形成されている。
本実施例では、両方がテーパ状に形成され、軸方向一方側軸締結部材２３０での軸方向他方側軸締結部材２４０と接触する軸締結部材側接触箇所が、一方軸締結部材内周側テーパ部２３６であり、軸方向他方側軸締結部材２４０での軸方向一方側軸締結部材２３０と接触する軸締結部材側接触箇所が、他方軸締結部材外周側テーパ部２４５である。
【００４０】
さらに、軸方向一方側軸締結部材２３０での回転体２２０と接触する軸締結部材側接触箇所である一方軸締結部材内周側テーパ部２３６および軸方向一方側軸締結部材２３０での軸方向他方側軸締結部材２４０と接触する軸締結部材側接触箇所である一方軸締結部材外周側テーパ部２３５が、軸２１０の径方向Ｄで回転体２２０と軸方向他方側軸締結部材２４０との間に入り込んでいる。
これにより、入り込んでいない構成と比べて、テーパ状の部分の傾斜を緩やかにしてテーパ状の部分の軸方向成分の長さを長くとれ、くさび効果を効率よく得られる。
【００４１】
さらに、ボルト２５０が締め付けられて軸方向一方側軸締結部材２３０の一方軸締結部材内周側テーパ部２３６および一方軸締結部材外周側テーパ部２３５が軸２１０の径方向Ｄで回転体２２０と軸方向他方側軸締結部材２４０との間に入り込む際、軸方向一方側軸締結部材２３０と軸２１０との間に隙間がある状態で軸方向一方側軸締結部材２３０が軸方向（スラスト方向）Ａへ変位する。
その他方で、回転体２２０が軸方向他方側軸締結部材２４０に対して軸方向（スラスト方向）Ａへ殆ど変位せず、軸方向他方側軸締結部材２４０が軸に対して軸方向（スラスト方向）Ａへ変位しない。
【００４２】
このようにして得られた本発明の第２実施例である軸２１０と回転体２２０との締結装置２００は、軸方向一方側軸締結部材２３０での軸方向他方側軸締結部材２４０と接触する軸締結部材側接触箇所である一方軸締結部材内周側テーパ部２３６および軸方向他方側軸締結部材２４０での軸方向一方側軸締結部材２３０と接触する軸締結部材側接触箇所である他方軸締結部材外周側テーパ部２４５の少なくとも一方が、軸方向Ａに対して傾斜したテーパ状に形成され、軸方向一方側軸締結部材２３０での回転体２２０と接触する軸締結部材側接触箇所である一方軸締結部材外周側テーパ部２３５および軸方向一方側軸締結部材２３０での軸方向他方側軸締結部材２４０と接触する軸締結部材側接触箇所である一方軸締結部材内周側テーパ部２３６が、軸２１０の径方向Ｄで回転体２２０と軸方向他方側軸締結部材２４０との間に入り込んでいることにより、入り込んでいない構成と比べてくさび効果を効率よく得ることができるとともに、回転体２２０の軸方向（スラスト方向）Ａのずれをより確実になくすことができるなど、その効果は甚大である。
【実施例３】
【００４３】
続いて、本発明の第３実施例である軸３１０と回転体３２０との締結装置３００について、図５に基づいて説明する。
第３実施例の軸３１０と回転体３２０との締結装置３００は、第２実施例の軸２１０と回転体２２０との締結装置２００の軸方向他方側軸締結部材２４０の軸方向他方側フランジ部２４１に回転体２２０と軸方向Ａに対して直交する面で当接する当接部分３４１ａを形成したものであり、多くの要素について第２実施例の軸２１０と回転体２２０との締結装置２００と共通するので、共通する事項については詳しい説明を省略し、下２桁が共通する３００番台の符号を付すのみとする。
【００４４】
第３実施例では、軸方向他方側軸締結部材３４０の他方軸締結部材外周側テーパ部３４５が、軸方向一方側軸締結部材３３０の一方軸締結部材内周側テーパ部３３６と接触するが、回転体３２０とは接触しないように構成されている。
その代わり、軸方向他方側軸締結部材３４０の軸方向他方側フランジ部３４１の当接部分３４１ａが、回転体３２０の軸方向他方側と当接するように設けられている。
そして、当接部分３４１ａは、軸方向Ａに対して直交する面状に構成されている。
【００４５】
これにより、軸方向Ａでの軸方向他方側軸締結部材３４０と回転体３２０との相対的な位置関係が精度よく決まる。
つまり、ボルト３５０が締め付けられる際、軸方向一方側軸締結部材３３０と軸３１０との間に隙間があるため、軸方向一方側軸締結部材３３０と軸３１０との間で摩擦力が生じることなく、軸方向一方側軸締結部材３３０が、回転体３２０および軸方向他方側軸締結部材３４０に対して変位する。
他方、回転体３２０は軸方向他方側軸締結部材３４０に対して軸方向Ａへ変位しないため、回転体３２０の軸方向（スラスト方向）Ａのずれを完全になくすことができる。
【符号の説明】
【００４６】
１００、２００、３００    ・・・  軸と回転体との締結装置
１１０、２１０、３１０    ・・・  軸（回転軸）
１２０、２２０、３２０    ・・・  回転体
１２１、２２１、３２１    ・・・  ボルト挿通穴
１２２                    ・・・  位置決め面
１２３                    ・・・  回転体一方側テーパ部
１２４                    ・・・  回転体他方側テーパ部
１２５、２２５、３２５    ・・・  スプロケット歯
２２６、３２６    ・・・  回転体側テーパ部
１３０、２３０、３３０    ・・・  軸方向一方側軸締結部材
１３１、２３１、３３１    ・・・  軸方向一方側フランジ部
１３２、２３２、３３２    ・・・  ボルト挿通穴
１３３                    ・・・  一方軸締結部材側テーパ部
１３４、２３４、３３４    ・・・  スリット
２３５、３３５    ・・・  一方軸締結部材外周側テーパ部
２３６、３３６    ・・・  一方軸締結部材内周側テーパ部
１４０、２４０、３４０    ・・・  軸方向他方側軸締結部材
１４１、２４１、３４１    ・・・  軸方向他方側フランジ部
３４１ａ  ・・・  当接部分
１４２、２４２、３４２    ・・・  ねじ穴
１４３                    ・・・  他方軸締結部材側テーパ部
１４４、２４４、３４４    ・・・  スリット
２４５、３４５    ・・・  他方軸締結部材外周側テーパ部
１５０、２５０、３５０    ・・・  ボルト
７００                    ・・・  （従来技術の）軸と回転体との締結装置
７１０、７１０Ａ、７１０Ｂ・・・  軸（回転軸）
７２０、７２０Ａ、７２０Ｂ・・・  回転体
７２１                    ・・・  回転体側テーパ部
７２２                    ・・・  ねじ穴
７３０                    ・・・  軸締結部材
７３１                    ・・・  フランジ部
７３２                    ・・・  ボルト挿通穴
７３３                    ・・・  軸締結部材側テーパ部
７４０                    ・・・  ボルト
Ａ                        ・・・  軸方向（スラスト方向）
Ｄ                        ・・・  径方向
Ｌ                        ・・・  仮想線
【図１】
2014224576.tif 000003
【図２】
2014224576.tif 000004
【図３】
2014224576.tif 000005
【図４】
2014224576.tif 000006
【図５】
2014224576.tif 000007
【図６】
2014224576.tif 000008
【図７】
2014224576.tif 000009